(57)【要約】【課題】  この発明は、支柱が設置できない壁面や透明間仕切りなどの壁面に商品を陳列することができる陳列用のアタッチメントベースを提供することを目的とする。【解決手段】  ガラス板に形成された孔に挿入されるボス部１１を設けた第１のベース台１と、ガラス板に形成された孔に挿入されるボス部２１を設けた第２のベース台２と、第１のベース台１のボス部１１と反対面に設けられた支持部材が挿入される挿入部１５と、第１のベース台１の縦方向の中心から離れた位置でボス部１１を貫通して設けられたねじ穴１３と、第２のベース台２の縦方向の中心から離れ且つ第１のベース台１に設けられたねじ穴１３に対応する位置でボス部２１を貫通して設けられたねじ穴２３と、備え、第１のベース台１に設けられたねじ穴１３と第２のベース台２に設けられたねじ穴２３とをねじ部材で固定することにより、第１のベース台１と第２のベース台２がガラス板に固定される。【選択図】  図１
2008136745.tif 000002
【特許請求の範囲】
【請求項１】
板状部材に形成された孔に挿入されるボス部を設けた第１のベース台と、板状部材に形成された孔に挿入されるボス部を設けた第２のベース台と、前記第１のベース台のボス部と反対面に周面から縦方向の中心より下方まで延びるように設けられた支持部材が挿入される挿入部と、前記第１のベース台の縦方向の中心から離れた位置で前記ボス部を貫通して設けられたねじ穴と、前記第２のベース台の縦方向の中心から離れ且つ前記第１のベース台に設けられたねじ穴に対応する位置で前記ボス部を貫通して設けられたねじ穴と、備え、前記第１のベース台に設けられたねじ穴と前記第２のベース台に設けられたねじ穴とをねじ部材で固定することにより、前記第１のベース台と第２のベース台が板状部材に固定されることを特徴とする陳列用アタッチメントベース。
【請求項２】
前記第１、第２のベース台は円形形状に形成されていることを特徴とする請求項１に記載の陳列用アタッチメントベース。
【請求項３】
前記第１のベース台のボス部並びに前記第２のベース台のボス部は、板状部材の孔に対応する一対の円弧部分とこれら円弧部分とを繋ぐ直線部からなる小判型形状に形成されていることを特徴とする請求項１又は２に記載の陳列用アタッチメントベース。
【請求項４】
前記第１のベース台および前記第２のベース台に前記ねじ穴とは異なる位置に第２のねじが取り付けられる第２のねじ穴が設けられていることを特徴とする請求項１ないし３のいずれかに記載の陳列用アタッチメントベース。
【請求項５】
前記挿入部は、Ｕ字形状に形成されて、第１のベース台の表面部より内方に挿入される支持部材の係合部と係合する係合溝が形成されていることを特徴とする請求項１に記載の陳列用アタッチメントベース。
【請求項６】
前記第１のベース台及び第２のベース台の板状部材に形成された孔に対向する側に磁石が設けられ、前記第１のベース台及び第２のベース台が仮止めされることを特徴とする請求項２に記載の陳列用アタッチメントベース。
【請求項７】
アタッチメントベースの挿入部に挿入される係合部と、この係合部に植設された円柱状ボス部と、このボス部に設けられたねじ部と、このねじ部と螺合するナット部を有するカバー部材、とからなる支持部材を、請求項１ないし６のいずれかに記載のアタッチメントベースの挿入部に前記係合部を係合させて取り付けることを特徴とする陳列用支持装置。
【請求項８】
前記円柱状ボス部は、アタッチメントベースの挿入部に前記係合部を係合させたときに、中心部が前記第１のベース台の円の中心位置又はその近傍に位置するように前記係合部に植設されていることを特徴とする請求項７に記載の陳列用支持装置。
【請求項９】
前記係合部とカバー部材とで、前記係合部の壁部を挟み、前記アタッチメントベースに支持部材が固定されることを特徴とする請求項７に記載の陳列用支持装置。
【発明の詳細な説明】
【技術分野】
【０００１】
この発明は、板状部材に設けた孔に取り付けられる陳列用アタッチメントベース並びにそのベースに支持部材を取り付け、商品陳列等を行う陳列用支持装置に関するものである。
【背景技術】
【０００２】
垂直な壁板に軸やパイプを片持ち支持させて、商品を陳列するものが知られている。例えば、特許文献１には、垂直な壁板の裏面側にほぼ垂直状態に支柱を支持させ、この支柱に軸部材固定具を取り付け、この軸部材固定具に軸部材を着脱する物品支持装置が記載されている。
【０００３】
上記した特許文献１に記載のものは、壁板の裏面側に支柱を設置する必要があり、支柱を設置するスペースなどが無い場合には、設置ができないという難点がある。
【０００４】
一方、店舗などにおける商品ディスプレイは、多様化が進んでいる。ガラスなどの透明間仕切りの片面、或いは両面に商品を陳列することができれば、新しいディスプレイシステムを提案することができる。
【０００５】
このため、ガラスなどの透明間仕切りも違和感なく陳列用のアタッチメントを取り付けることが臨まれている。
【特許文献１】特許第２９１１８３１号公報
【発明の開示】
【発明が解決しようとする課題】
【０００６】
上記した特許文献１に記載のものでは、支柱が必要であり、透明間仕切りなどの壁面に使用すると、見栄えが極めて悪くなり、現実的には使用することは無理である。
【０００７】
この発明は、上記した従来の問題点に鑑みなされたものにして、支柱が設置できない壁面や透明間仕切りなどの壁面に商品を陳列することができる陳列用のアタッチメントベースを提供することを目的とする。
【課題を解決するための手段】
【０００８】
この発明の陳列用アタッチメントベースは、板状部材に形成された孔に挿入されるボス部を設けた第１のベース台と、板状部材に形成された孔に挿入されるボス部を設けた第２のベース台と、前記第１のベース台のボス部と反対面に周面から縦方向の中心より下方まで延びるように設けられた支持部材が挿入される挿入部と、前記第１のベース台の縦方向の中心から離れた位置で前記ボス部を貫通して設けられたねじ穴と、前記第２のベース台の縦方向の中心から離れ且つ前記第１のベース台に設けられたねじ穴に対応する位置で前記ボス部を貫通して設けられたねじ穴と、備え、前記第１のベース台に設けられたねじ穴と前記第２のベース台に設けられたねじ穴とをねじ部材で固定することにより、前記第１のベース台と第２のベース台が板状部材に固定されることを特徴とする。
【０００９】
前記第１、第２のベース台は円形形状に形成されたものを用いると良い。
【００１０】
また、前記第１のベース台のボス部並びに前記第２のベース台のボス部は、板状部材の孔に対応する一対の円弧部分とこれら円弧部分とを繋ぐ直線部からなる小判型形状に形成されていることを特徴とする。
【００１１】
更に、前記第１のベース台および前記第２のベース台に前記ねじ穴とは異なる位置に第２のねじが取り付けられる第２のねじ穴が設けられていてもよい。
【００１２】
また、この発明は、前記挿入部は、Ｕ字形状に形成されて、第１のベース台の表面部より内方に挿入される支持部材の係合部と係合する係合溝が形成されていることを特徴とする。
【００１３】
また、前記第１のベース台及び第２のベース台の板状部材に形成された孔に対向する側に磁石が設けられ、前記第１のベース台及び第２のベース台が仮止めするように構成できる。
【００１４】
この発明の陳列用支持装置は、アタッチメントベースの挿入部に挿入される係合部と、この係合部に植設された円柱状ボス部と、このボス部に設けられたねじ部と、このねじ部と螺合するナット部を有するカバー部材、とからなる支持部材を、上記に記載のアタッチメントベースの挿入部に前記係合部を係合させて取り付けることを特徴とする。
【００１５】
また、前記円柱状ボス部は、アタッチメントベースの挿入部に前記係合部を係合させたときに、中心部が前記第１のベース台の円の中心位置又はその近傍に位置するように前記係合部に植設されていることを特徴とする。
【００１６】
そして、前記係合部とカバー部材とで、前記係合部の壁部を挟み、前記アタッチメントベースに支持部材を固定するように構成することができる。
【発明の効果】
【００１７】
この発明の陳列用アタッチメントベースによれば、支柱等が無くても壁面などの板状部材に取り付けることができ、ガラスなどの透明間仕切りの片面、或いは両面に商品を陳列するための支持装置を容易に提供できる。
【発明を実施するための最良の形態】
【００１８】
この発明の実施の形態について図面を参照しながら詳細に説明する。なお、図中同一または相当部分には同一符号を付し、説明の重複を避けるためにその説明は繰返さない。
【００１９】
図１は、この発明の第１の実施形態に係る陳列用アタッチメントベースを示す分解斜視図、図２は、この発明の第１の実施形態に係る陳列用アタッチメントベースの第１のベース台を示し、（Ａ）は正面図、（Ｂ）は一部を破断した側面図、（Ｃ）は背面図、図３は、この発明の第１の実施形態に係る陳列用アタッチメントベースの第２のベース台を示し、（Ａ）は背面図、（Ｂ）は一部を破断した側面図である。図４は、この発明の第１の実施形態に係る陳列用アタッチメントベースをガラス板に取り付けた状態を示す一部を破断した側面図である。
【００２０】
この発明の陳列用アタッチメントベースは、例えば、８ｍｍ〜１０ｍｍ厚のガラス板に取り付けられる。この実施形態においては、透明間仕切りガラス板に、直径１５ｍｍの孔を形成したものに取り付けるアタッチメントベースを例に挙げ説明することとする。
【００２１】
図１に示すように、陳列用アタッチメントベースは、円形形状の第１のベース台１と、円形の第２のベース台２、クッションシート３、３とを備える。
【００２２】
第１のベース台１は、図１、図２に示すように、直径２５ｍｍの基部１０にガラス板の孔に挿入されるボス部１１が設けられている。ボス部１１は、板状部材の孔に対応する一対の円弧部分１１ａとこれら円弧部分１１ａ、１１ａとを繋ぐ直線部１１ｂ、１１ｂからなる小判型形状に形成されている。円弧部分１１ａ、１１ａ間の寸法は、この実施形態では、φ１５ｍｍに設定している。
【００２３】
基部１０とボス部１１とを貫通して、ねじ穴１３及びねじ穴１４が設けられている。このねじ穴１３、１４は、基部１０の円の中心（縦方向の中心）から離れた位置に形成される。ねじ穴１３は、その中心が、この実施形態では円の中心より図中上側に２．４ｍｍ離れ、ねじ穴の大きさが４ｍｍとして形成されている。この実施形態では、このねじ穴１３に取り付けられるねじは、皿ねじを用いているので、皿ねじの皿部分が収納されるテーパー部１３ａが設けられている。
【００２４】
また、ねじ穴１４は、その中心が、この実施形態では円の中心より図中下側に４ｍｍ離れ、ねじ穴の大きさが３ｍｍとして形成されている。
【００２５】
第１のベース台１の基部１０のボス部１１とは反対面に、周面から円の中心より下方まで延びるように、商品等を支持する支持部材が挿入される挿入部１５が設けられている。挿入部１５は、Ｕ字形状に形成されて、第１のベース台１の基部１０の表面部より内方に係合溝１５ａが形成されている。そして、挿入部１５には、装着される支持部材の円柱状カバーを収容するように、円弧状の切り欠き部１５ｃ、１５ｃが設けられている。この切り欠き部１５ｃと係合溝１５ａとの間には、挟持用壁１５ｂが形成される。
【００２６】
第２のベース台２は、図１、図３に示すように、直径２５ｍｍの基部２０にガラス板の孔に挿入されるボス部２１が設けられている。ボス部２１は、板状部材の孔に対応する一対の円弧部分２１ａとこれら円弧部分２１ａ、２１ａとを繋ぐ直線部２１ｂ、２１ｂからなる小判型形状に形成されている。円弧部分２１ａ、２１ａ間の寸法は、この実施形態では、φ１５ｍｍに設定している。
【００２７】
基部２０とボス部２１とを貫通して、ねじ穴２３及びねじ穴２４が設けられている。このねじ穴２３、２４は、基部２０の円の中心から離れた位置に形成される。ねじ穴２３は、その中心が、この実施形態では円の中心より図中上側に２．４ｍｍ離れ、ねじ穴の大きさが４ｍｍとして形成されている。
【００２８】
また、ねじ穴２４は、その中心が、この実施形態では円の中心より図中下側に４ｍｍ離れ、ねじ穴の大きさが３ｍｍとして形成されている。
【００２９】
クッションシート３には、ボス部１１、２１が挿入される小判型の窓部３０が設けられている。
【００３０】
この実施形態の陳列用アタッチメントベースは、図４に示すように、板材としてのガラス板１００に固定される。ガラス板１００には、φ１５ｍｍの孔１０１が形成されている。第１、第２のベース台１、２をクッションシート３、３を挟んで固定する。固定は、ねじ穴１４、２４に仮止め用のねじ３６で固定した後、皿ねじ３５により、両ベース台１、２を確実に固定することにより、ガラス板１００の孔１０１に、陳列用アタッチメントベースが取り付けられる。ガラス１００の孔１０１部に、円形状のベース１、２が取り付けられるだけなので、支柱などが省略できるばかりか、見栄えもよい。
【００３１】
次に、この第１の実施形態の陳列用アタッチメントベースの取り付け方法について、図５ないし図７を参照して説明する。図５は、この発明の第１の実施形態に係る陳列用アタッチメントベースをガラス板に装着する状態を示す一部を破断した側面図、図６は、この発明の第１の実施形態に係る陳列用アタッチメントベースをガラス板に仮止めした状態を示す一部を破断した側面図、図７は、この発明の第１の実施形態に係る陳列用アタッチメントベースをガラス板に固定した状態を示す一部を破断した側面図である。
【００３２】
図５に示すように、ガラス板１００に設けられたφ１５ｍｍの孔１０１に、クッションシート３、３を挟んで第１、第２のベース台１、２を仮固定する。仮固定は、まず、ねじ穴１４、２４に仮止め用のねじ３６で第１、第２のベース台１、２を連結させ、ねじ穴１３、２３に皿ねじ３５を取り付ける。ねじ３５、３６には、６角レンチ用の凹所が形成され、６角レンチ１１０を用いて仮固定する。
【００３３】
続いて、図６に示すように、両ねじ３５、３６を６角レンチ１１０等を用いてガラス板１００の厚みに合わせて固定してゆく。このとき回り止めが効くようにねじ３６を調整する。
【００３４】
そして、図７に示すように、本締めを行う。この本字目の前に垂直位置を調整する。使用しないアタッチメントベースには、挿入部１５にエンドキャップ４を取り付けることにより、更に見栄えがよくなる。エンドキャップ４は、基部２０と同様の円形キャップ部４０に、挿入部１５の係合部１５ａに係合する取り付け部４１が設けられている。
【００３５】
アタッチメントベースは、ガラス板１００の丸孔に単体で取り付けるために、本締めを行う前に、第１，第２のベース台１、２の垂直出し作業が必要となる。正確に垂直を出すために、図８に示す治具１１０を用いて、図９に示すように、水平器などで垂直を出してから本締めを行うとよい。治具１１０は、挿入部１５に装着される足部１１１にねじが臨む孔１１２が設けられ、挿入部１５に装着した際に、挿入部１５と直交するように形成された台座１１３が本体１１５に連接して設けられている。
【００３６】
挿入部１５に治具１１０の足部１１１を装着し、台座１１３の上に水平器１２０を載せることで、垂直出しが簡単且つ正確に行える。
【００３７】
次に、ガラス板に固定した陳列用アタッチメントベースに支持部材を係合する方法について、図１０ないし図１３を参照して説明する。図１０は、ガラス板に固定した陳列用アタッチメントベースに支持部材を係合する状態を示す斜視図、図１１は、ガラス板に固定した陳列用アタッチメントベースに支持部材を固定する状態を示す斜視図、図１２は、この発明に用いられる支持部材を示す側面図、図１３は、この発明に用いられる支持部材のキャップ部材を示す側面図である。
【００３８】
図１０に示すように、アタッチメントベースの第１のベース台１の挿入部１５に支持部材５が挿入固定される。この支持部材５について、図１０、図１２及び図１３に従い説明する。
【００３９】
支持部材５は、挿入部１５に挿入される係合部５０と、この係合部５０に植設された円柱状ボス部５２と、このボス部５２に設けられたねじ部５２ａと、このねじ部５２ａと螺合するナット部６０を有するカバー部材６とを備える。
【００４０】
係合部５０は、上部はベース台１の円弧部分と同じ径に形成され、下部は挿入部１５のＵ字状の円弧部分と同じ径に形成されている。
【００４１】
係合部５０には、係合溝１５ａに挿入される係合凸部５１が連設されている。更に、係合部５０には、挟持用壁１５ｂには入り込む円弧状の切り欠き５５が設けられている。この切り欠き５５は、挟持用壁１５ｂより薄く設定されており、カバー部材６を螺子込んだ際、挟持用壁１５ｂを切り欠き５５とカバー部材６とで挟み込んで固定する。
【００４２】
また、この実施形態においては、ボス部５２には、１１ｍｍのねじ部５２ａが設けられ、更にこのボス部５２には、一回り小さな円柱部５３が連設されている。この円柱部５３は、直径８ｍｍの円柱状に形成されている。この円柱部５３とボス部５２の中心部には、例えば、円柱状ロッド７が必要に応じて圧入固定される為の直径５．１ｍｍのロッド挿入孔５４が設けられている。
【００４３】
図１０に示す実施形態においては、ロッド挿入孔５４にロッド７を圧入した後、カバー部材６をボス部５３にかぶせ、ねじ部５２ａにナット部６０をねじ込んで取り付けている。
【００４４】
円柱状ボス部５２は、円柱の中心線がアタッチメントベースの挿入部１５に係合部５０を係合させたときに、第１のベース台１の円の中心位置又はその近傍に位置するように係合部５０に植設されている。この実施形態においては、円の中心位置になるように設計されている。
【００４５】
アタッチメントベースの挿入部１５に係合部５０を係合させたとき、第１のベース台１の外周部と係合部５０の外周部と連なり、挿入部１５のＵ字状の底部と係合部１５の底部とも密接するように設計されている。
【００４６】
アタッチメントベースの挿入部１５への支持部材の取り付けは、図１０に示すように、エンドキャップを取り外し、支持部材の係合部５０の係合凸部５１をベース台１の挿入部１５の係合溝１５ａに合わせて、挿入部１５に滑り込ませる。
【００４７】
そして、図１１に示すように、カバー部材６を回し、カバー部材６をねじ込む。そして、カバー部材６が挿入部１５に嵌り込みながら、第１のベース台１方向へ進み、係合凸部５１とカバー部材６とで、挿入部１５の壁部１５ｂが挟まれ、ベース台１に支持部材５が固定される。
【００４８】
このカバー部材６を締め付ける際やカバー部材６を取り外す際に、係合部５０を介して、ベース台１にも回転力が付与されることになるが、ベース台１、２を固定するねじ部３５の中心位置と円柱状ボス部５２の中心線が異なるために、ねじ部３５には、回転力が与えられずに、ベース台１、２間の締結力が緩くなることが抑制でき、ベース台１、２がガラス板１００に対して回転する虞を無くすことが出来る。
【００４９】
図１４は、ボス部に、直接装着されるパイプ支持部材を示す側面図である。このパイプからなる支持部材８は、１方のパイプエンド部分にこのボス部５２に設けられたねじ部５２ａと螺合するナット部８０が設けられている。アタッチメントベースへの取り付けは、パイプ支持部材８を回し、ねじ込む。そして、パイプ支持部材８が挿入部１５に嵌り込みながら第１のベース台１方向へ進む。そして、係合凸部５１とパイプ支持部材８の端部とで、挿入部１５の壁部１５ｂを挟み、ベース台１に支持部材５が固定される。
【００５０】
図１５は、支持部材として、スロープフック部材を用いたときの側面図である。図１０のロッド７がスロープ状に曲げられて形成されているものである。係合部５０、ボス部５２、キャップ部６は図１０のものと同様である。
【００５１】
次に、ガラス板の両面に支持部材を取り付けることができるアタッチメントベースの第２の実施形態を図１６及び図１７に示す。図１６は、この発明の第２の実施形態に係る陳列用アタッチメントベースを示す分解斜視図、図１７は、この発明の実施形態に係る陳列用アタッチメントベースをガラス板に取り付けた状態を示す一部を破断した側面図である。
【００５２】
図１６、図１７に示すように、両面に支持部材を取り付ける場合には、第２のベース台２’にも第１のベース台１と同じ構成の挿入部１５を設けている。その他の構成は上記した第１の実施形態と同様であるので、同じ構成には同じ符号を付し、説明の重複を避けるために、ここではその説明を割愛する。
【００５３】
このように、第１，第２のベース台１，２’に挿入部１５を設けたアタッチメントベースをガラス板１００の孔１０１に装着固定することで、ガラス板１００の両面に支持部材５を取り付けて、ガラス板１００の両面に商品等を陳列することができる。
【００５４】
次に、この発明の第３の実施形態につき図１８及び図１９を参照して説明する。図１８は、この発明の実施形態に係る陳列用アタッチメントベースの第１のベース台を示し、（Ａ）は正面図、（Ｂ）は一部を破断した側面図、（Ｃ）は背面図、図１９は、この発明の実施形態に係る陳列用アタッチメントベースの第２のベース台を示し、（Ａ）は背面図、（Ｂ）は一部を破断した側面図である。
【００５５】
図１８及び図１９に示すように、この第３の実施形態は、第１のベース台１及び第２のベース台２の基部１０、２０に形成された孔１０１に対向する側、すなわち、ボス部１１，２１が設けられた基板１０，２０に磁石２００…が設けられている。ベース台１に設けた磁石２００とベース台２に設けた磁石２００とは、互いに吸着するように、磁性を調整している。その他の構成は上記した第１の実施形態と同様であるので、同じ構成には同じ符号を付し、説明の重複を避けるために、ここではその説明を割愛する。
【００５６】
基板１０，２０に磁石２００…が設けることで、ガラス板１００の孔１０１に第１ベース台１，第２ベース台２を取り付ける際に、この磁石２００…の磁力で第１のベース台１及び第２のベース台２がガラス板１００に仮止めすることができる。この結果、ねじ３５，３６を取り付け作業が容易になる。
【００５７】
尚、上記した実施形態における各寸法は、あくまでも例示であり、取り付ける板に設ける孔や板の厚みに応じて適宜最適な寸法の部材を形成すればよい。
【００５８】
また、上記した実施形態においては、第１、第２のベース台として円形形状のものを用いたが、正方形状などの矩形形状のものでも同様に構成することができる。
【００５９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００６０】
この発明は店舗用の陳列用商品ディスプレイなどに用いられる。
【図面の簡単な説明】
【００６１】
【図１】この発明の第１の実施形態に係る陳列用アタッチメントベースを示す分解斜視図である。
【図２】この発明の第１の実施形態に係る陳列用アタッチメントベースの第１のベース台を示し、（Ａ）は正面図、（Ｂ）は一部を破断した側面図、（Ｃ）は背面図である。
【図３】この発明の第１の実施形態に係る陳列用アタッチメントベースの第２のベース台を示し、（Ａ）は背面図、（Ｂ）は一部を破断した側面図である。
【図４】この発明の第１の実施形態に係る陳列用アタッチメントベースをガラス板に取り付けた状態を示す一部を破断した側面図である。
【図５】この発明の第１の実施形態に係る陳列用アタッチメントベースをガラス板に装着する状態を示す一部を破断した側面図である。
【図６】この発明の第１の実施形態に係る陳列用アタッチメントベースをガラス板に仮止めした状態を示す一部を破断した側面図である。
【図７】この発明の第１の実施形態に係る陳列用アタッチメントベースをガラス板に固定した状態を示す一部を破断した側面図である。
【図８】この発明の実施形態に係る陳列用アタッチメントベースをガラス板に固定する際に用いる治具を示す斜視図である。
【図９】治具を用いて垂直を出しを行っている状態を示す模式図である。
【図１０】ガラス板に固定した陳列用アタッチメントベースに支持部材を係合する状態を示す斜視図である。
【図１１】ガラス板に固定した陳列用アタッチメントベースに支持部材を固定する状態を示す斜視図である。
【図１２】この発明に用いられる支持部材を示す側面図である。
【図１３】この発明に用いられる支持部材のキャップ部材を示す側面図である。
【図１４】この発明に用いられるボス部に、直接装着されるパイプ支持部材を示す側面図である。
【図１５】この発明に用いられる支持部材として、スロープフック部材を用いたときの側面図である。
【図１６】この発明の第２の実施形態に係る陳列用アタッチメントベースを示す分解斜視図である。
【図１７】この発明の実施形態に係る陳列用アタッチメントベースをガラス板に取り付けた状態を示す一部を破断した側面図である。
【図１８】この発明の実施形態に係る陳列用アタッチメントベースの第１のベース台を示し、（Ａ）は正面図、（Ｂ）は一部を破断した側面図、（Ｃ）は背面図である。
【図１９】この発明の実施形態に係る陳列用アタッチメントベースの第２のベース台を示し、（Ａ）は背面図、（Ｂ）は一部を破断した側面図である。
【符号の説明】
【００６２】
１  第１のベース台、２  第２のベース台、３  クッションシート、５  支持部材、６  キャップ部材、７  ロッド、１０  基部、１１  ボス部、１３  ねじ穴、１４  ねじ穴、１５  挿入部、１５  係合溝、２０  基部、２１  ボス部、２３  ねじ穴、２４  ねじ穴、３５  ねじ部、３６  ねじ部、５０  係合部、５１  係合凸部ブラケット、１００  ガラス板、１０１  孔。
【図１】
2008136745.tif 000003
【図２】
2008136745.tif 000004
【図３】
2008136745.tif 000005
【図４】
2008136745.tif 000006
【図５】
2008136745.tif 000007
【図６】
2008136745.tif 000008
【図７】
2008136745.tif 000009
【図８】
2008136745.tif 000010
【図９】
2008136745.tif 000011
【図１０】
2008136745.tif 000012
【図１１】
2008136745.tif 000013
【図１２】
2008136745.tif 000014
【図１３】
2008136745.tif 000015
【図１４】
2008136745.tif 000016
【図１５】
2008136745.tif 000017
【図１６】
2008136745.tif 000018
【図１７】
2008136745.tif 000019
【図１８】
2008136745.tif 000020
【図１９】
2008136745.tif 000021